【事件の表示】
　特許第６３１３０７１号発明「カフェイン低減茶飲料およびコーヒー飲料の製造方法」の特許異議申立事件について、次のとおり決定する。
【結　論】
　特許第６３１３０７１号の特許請求の範囲を訂正請求書に添付された訂正特許請求の範囲のとおり、訂正後の請求項５について訂正することを認める。
　特許第６３１３０７１号の請求項１ないし７に係る特許を維持する。
【理　由】
第１　手続の経緯
　特許第６３１３０７１号の請求項１ないし７に係る特許についての出願は、平成３０年３月３０日にその特許権の設定登録がされ、平成３０年４月１８日に特許掲載公報が発行された。その特許についての本件特許異議の申立ての経緯は、次のとおりである。
　平成３０年１０月１６日：特許異議申立人による請求項１ないし７に係る　　　　　　　　　　　　　特許に対する異議の申立て
　　　　同年１２月１８日：取消理由通知書
　平成３１年　２月　８日：特許権者による意見書及び訂正請求書の提出
　　　　同年　３月２０日：特許異議申立人による意見書の提出
第２　訂正の適否
１　訂正の内容
　平成３１年２月８日の訂正請求（以下、「本件訂正請求」という。）による訂正（以下、「本件訂正」という。）の内容は以下のとおりである。
（１）訂正事項１（下線は訂正箇所を示す。）
　請求項５の「カルシウムイオン以外の陽イオン」との記載を、「カルシウムイオン以外の陽イオン
（但し、水素イオンを除く）
　なお、本件訂正請求は、一群の請求項について請求されたものである。
２　訂正の目的の適否、新規事項の有無、及び特許請求の範囲の拡張・変更の存否
（１）訂正事項１
　訂正事項１は、訂正前の請求項５に記載した事項の記載表現を残したまま陽イオンから水素イオンを除くとして、訂正前の請求項に係る発明に包含される一部の事項のみをその請求項に記載した事項から除外するものであるから、特許請求の範囲の減縮を目的とするものである。
　そして、訂正事項１は、請求項に係る発明と先行技術との重なりのみを除く訂正であるから、新たな技術的事項を導入するものでなく、実質上特許請求の範囲を拡張し、又は変更するものでもない。
３　小括
　以上のとおりであるから、本件訂正は、特許法１２０条の５第２項ただし書１号に掲げる事項を目的とするものであり、かつ、同条９項において準用する同法１２６条５項及び６項の規定に適合する。
　したがって、特許請求の範囲を、訂正請求書に添付された訂正特許請求の範囲のとおり、訂正後の請求項５について訂正することを認める。
第３　本件発明
　請求項１ないし７に係る発明（以下、「本件発明１」などといい、総称して「本件発明」という。）は、訂正特許請求の範囲の請求項１ないし７に記載された次の事項により特定されるとおりのものである。
　「【請求項１】
　茶抽出液に、下記条件ＡおよびＢ：
Ａ　白土１ｇ（乾燥重量）当たりの交換性カルシウムイオン含量が３ｍｇ以下である
Ｂ　白土を２重量％の濃度で純水に懸濁したときのｐＨが４．０〜９．０である
を満たす白土を接触させる工程を含む、茶飲料の製造方法。
　　【請求項２】
　前記白土が、交換性カルシウムイオン含量低減処理白土である、請求項１に記載の製造方法。
　　【請求項３】
　交換性カルシウムイオン含量低減処理白土が、白土に含まれる交換性カルシウムイオンをカルシウムイオン以外の陽イオンで処理してなる白土である、請求項２に記載の製造方法。
　　【請求項４】
　茶抽出液に含まれるカフェインが６０％以上除去された、請求項１〜３のいずれか一項に記載の製造方法。
　　【請求項５】
　茶抽出液に、白土に含まれる交換性カルシウムイオンをカルシウムイオン以外の陽イオン（但し、水素イオンを除く）で処理してなる白土を接触させる工程を含む、茶飲料の製造方法。
　　【請求項６】
茶抽出液に、下記条件ＡおよびＢ：
Ａ　白土１ｇ（乾燥重量）当たりの交換性カルシウムイオン含量が３ｍｇ以下である
Ｂ　白土を２重量％の濃度で純水に懸濁したときのｐＨが４．０〜９．０である
を満たす白土を接触させる工程を含む、茶飲料の濁度上昇抑制方法。
　　【請求項７】
茶抽出液に、下記条件ＡおよびＢ：
Ａ　白土１ｇ（乾燥重量）当たりの交換性カルシウムイオン含量が３ｍｇ以下である
Ｂ　白土を２重量％の濃度で純水に懸濁したときのｐＨが４．０〜９．０である
を満たす白土を接触させる工程を含む、茶飲料の香味低減抑制方法。」
第４　取消理由通知に記載した取消理由について
１　取消理由の概要
　訂正前の請求項５に係る特許に対して、当審が平成３０年１２月１８日に特許権者に通知した取消理由の要旨は、次のとおりである。
　理由１：本件発明５は、甲１に記載された発明であって、特許法２９条１項３号に該当するから、請求項５に係る特許は、特許法２９条１項の規定に違反してされたものである。
　理由２：本件発明５は、甲１発明に基いて、当業者が容易に発明をすることができたものであるから、請求項５に係る特許は、特許法２９条２項の規定に違反してされたものである。
２　甲第１号証（特開平６−１４２４０５号公報）について
（１）甲第１号証（以下、「甲１」という。）には、次の事項が記載されている。
・「【請求項１】　カフェインを含有する水溶液を活性白土または酸性白土と接触させることにより、水溶液から選択的にカフェインを除去する方法。」
・「【０００３】
【発明が解決しようとする課題】本発明は、カフェインを含有する水溶液より選択的にカフェインを除去する方法を提供することを目的とする。
【０００４】
【課題を解決するための手段】本発明者らは、茶あるいはコーヒーなどのカフェインを含有する水溶液を特定の吸着剤と接触させることにより、水溶液から選択的にカフェインを除去する方法を検討した結果、活性白土または酸性白土をカフェインを含有する水溶液と接触させることにより、操作が容易簡便で、かつ効率よく工業的にカフェインを除去できることを見いだした。すなわち本発明は、カフェインを含有する水溶液から選択的にカフェインを除去する方法である。本発明におけるカフェインを含有する水溶液としてはコーヒー，カカオ，コーラ，紅茶，ウーロン茶，緑茶，マテ茶などのカフェイン含有植物の抽出液が主として用いられるが、その他の植物の抽出液、あるいは合成カフェイン含有液でも用いることができる。カフェイン含有植物の抽出液を得るには温水、好ましくは熱水を用いて抽出することができるが、カフェイン含有植物を有機溶媒により抽出した後、その有機溶媒を除去して得た水溶液でもよい。抽出操作はバッチ式、またはカラムによる連続式等の従来既知の抽出方法をそのまま採用することができる。吸着剤による物質の除去手段は極めて一般的な方法であるが、通常使用され得る吸着剤、例えば活性炭、イオン交換樹脂、吸着用樹脂ではカフェイン含有水溶液中の他の成分も同時に吸着してしまい、カフェインを選択的に除去することができなかった。本発明に用いる活性白土は、天然に産出する酸性白土（モンモリロナイト系粘土）を硫酸などの鉱酸で処理したものであり、大きい比表面積と吸着能を有する多孔質構造をもった化合物である。酸性白土を更に、酸処理することにより比表面積が変化し、脱色能の改良および物性が変化することが知られている。通常活性白土は、油脂の脱色能，不純物吸着能を有することから主として、油脂及び石油鉱物油の精製に使用される。本発明において、酸性白土もその目的に適するが、より効果的な目的達成のためには活性白土の使用が望ましい。活性白土，酸性白土は、共に一般的な化学成分として、ＳｉＯ2 ，Ａｌ2Ｏ3 ，Ｆｅ2Ｏ3 ，ＣａＯ，ＭｇＯなどを有するが、本発明に使用する場合、ＳｉＯ2 ／Ａｌ2Ｏ3 比は、３．０〜１２．０，望ましくは、５．０〜９．０が適し、Ｆｅ2Ｏ3 ２〜５％，ＣａＯ　０〜１．５％，ＭｇＯ　１〜７％などを含有する組成のものが望ましい。また、比表面積は、酸処理の程度により異なるが、５０〜３５０ｍ2 ／ｇ，ｐＨ（５％サスペンジョン）は、２．５〜３．５の範囲のものが使用される。カフェイン含有水溶液と活性白土または酸性白土との接触処理はバッチ式、カラムによる連続処理等のいかなる方法も採用することができる。一般的には粉末状活性白土または酸性白土を添加，撹拌しカフェインを吸着後、濾過操作によりカフェインを除去した濾液を得る方法、あるいは顆粒状の活性白土または酸性白土を充填したカラムを用いて連続処理によりカフェインを吸着する方法が採用される。上記接触処理の条件はカフェイン含有水溶液の種類，抽出液の濃度などに応じて適宜選択することができるが、例えばカラムによる連続処理の場合、顆粒状の活性白土または酸性白土１容量に対して、約１〜１００容量のカフェイン含有水溶液を通液することにより達成できる。かくして得られたカフェインを除去したカラム通過液をそのまま、または減圧あるいは常圧にて濃縮した後、噴霧乾燥，凍結乾燥，熱風乾燥等の既知の方法により乾燥して粉末状，顆粒状その他の固体形態とすることもできる。また、活性白土または酸性白土に吸着したカフェインを必要に応じて含水アセトンなどの有機溶媒を用いて、溶出することも可能である。」
・「【０００５】
【実施例】
試験例１
・・・・・
【０００６】
【表１】
【０００７】表１に示すように活性白土（ガレオンアースＮＦ−２，ガレオナイトＮｏ．２５１）または酸性白土を用いた場合、カフェイン残存量が０．１％，５．０％，５．４％，７．０％となり、カフェインはほぼ完全に除去された。一方、主要な茶成分である（−）−エピカテキン（ＥＣ），（−）−エピカテキンガレート（ＥＣｇ），（−）−エピガロカテキンガレート（ＥＧＣｇ）は、いずれも８０％以上の残存量を示し、選択的にカフェインが除去された。他の吸着剤では、カフェインがほとんど除去されないか、あるいは他の茶成分も同時に除去されカフェインの選択的な除去効果はみられなかった。」
・「【０００８】試験例２
・・・・・
【０００９】
【表２】
【００１０】表２に示すように活性白土（ガレオンアースＮＦ−２）０．１ｇを添加することにより、カフェインの残存率は、５．２％となりカフェインはほぼ完全に除去された。また、酸性白土１ｇの添加でカフェインの残存率は８．９％であった。主要成分であるクロロゲン酸は各々８３．１％，９５．４％の残存量を示し、選択的にカフェインが除去された。他の吸着剤では、カフェインがほとんど除去されないか、あるいはクロロゲン酸も同時に除去され、カフェインの選択的な除去効果は見られなかった。」
・「【００１１】実施例１
煎茶２００ｇを８５℃の熱水４リットルで３０分間撹拌しながら抽出し、茶葉を濾過により除き、3,400 ｍｌの抽出液を得た。この抽出液に活性白土２００ｇを添加し、３０分間撹拌後濾過した。濾過液を減圧濃縮によりＢｒｉｘ３０度まで濃縮し凍結乾燥した固形物のカフェイン含量は、０．３２％であった。これは除去率９１．４％に相当する。」
　上記記載事項から、甲１には次の発明（以下、「甲１発明」という。）が記載されていると認める。 
 「カフェインを含有する水溶液を酸性白土又は活性白土と接触させることにより、水溶液から選択的にカフェインを除去する方法。」
３　当審の判断
（１）特許法２９条１項３号について
　ア　対比
　甲１発明の「カフェインを含有する水溶液」については、甲１の発明の詳細な説明を参照すると「【０００４】・・・本発明におけるカフェインを含有する水溶液としてはコーヒー，カカオ，コーラ，紅茶，ウーロン茶，緑茶，マテ茶などのカフェイン含有植物の抽出液が主として用いられる」と記載されているから、本件発明５の「茶抽出液」に相当する。
　同様に、甲１発明の「水溶液から選択的にカフェインを除去する方法」は、本件発明５の「茶飲料の製造方法」に相当する。
　甲１発明の「活性白土」について、甲１の発明の詳細な説明を参照すると「【０００４】・・・本発明に用いる活性白土は、天然に産出する酸性白土（モンモリロナイト系粘土）を硫酸などの鉱酸で処理したものであり、大きい比表面積と吸着能を有する多孔質構造をもった化合物である。酸性白土を更に、酸処理することにより比表面積が変化し、脱色能の改良および物性が変化することが知られている。・・・本発明において、酸性白土もその目的に適するが、より効果的な目的達成のためには活性白土の使用が望ましい。活性白土，酸性白土は、共に一般的な化学成分として、ＳｉＯ2 ，Ａｌ2Ｏ3 ，Ｆｅ2Ｏ3 ，ＣａＯ，ＭｇＯなどを有するが、本発明に使用する場合、ＳｉＯ2 ／Ａｌ2Ｏ3 比は、３．０〜１２．０，望ましくは、５．０〜９．０が適し、Ｆｅ2Ｏ3 ２〜５％，ＣａＯ　０〜１．５％，ＭｇＯ　１〜７％などを含有する組成のものが望ましい。」と記載されており、上記酸処理並びに活性白土及び酸性白土の化学成分から考慮すると、甲１発明の「活性白土と接触させることにより」と、本件発明５の「白土に含まれる交換性カルシウムイオンをカルシウムイオン以外の陽イオン（但し、水素イオンを除く）で処理してなる白土を接触させる工程」とは、「白土に含まれる交換性カルシウムイオンをカルシウムイオン以外の陽イオンで処理してなる白土を接触させる工程」を有することで技術が共通し、その限りにおいて一致するといえる。
　したがって、両者の一致点及び相違点は次のとおりである。
（一致点）
　茶抽出液に、白土に含まれる交換性カルシウムイオンをカルシウムイオン以外の陽イオンで処理してなる白土を接触させる工程を含む、茶飲料の製造方法。
（相違点）
　白土に含まれる交換性カルシウムイオンをカルシウムイオン以外の陽イオンで処理してなる白土を接触させる工程について、
　本件発明５においては、陽イオン（但し、水素イオンを除く）で処理してなる白土を用いるのに対し、甲１発明は、（酸性白土を酸処理した）活性白土を用いる点。
　イ　判断
　甲１発明の活性白土は、酸性白土を硫酸などの鉱酸で処理したものであるから（【０００４】）、陽イオンである水素イオンの存在する水溶液により処理された白土である。そして、甲１には、水素イオン以外の陽イオンで処理することは記載されていない。
　したがって、当該相違点は実質的な相違点であり、本件発明５は甲１に記載された発明とはいえない。
　なお、相違点に係る本件発明５の構成は、水素イオンが存在しないことを特定したものではない。
（２）特許法２９条２項について
　ア　対比、判断
　一致点及び相違点については、上記（１）アのとおりである。
　そして、甲１の茶抽出液等に接触させる白土において、陽イオンで処理してなる白土として理解されるものは、酸性白土を酸処理した活性白土のみであるから、甲１には、白土に含まれる交換性カルシウムイオンをカルシウムイオン以外の陽イオン（但し、水素イオンを除く）で処理してなる白土についての記載ないし示唆はない。
　さらに、白土に含まれる交換性イオンの中で交換性カルシウムイオンに着目し、同イオン以外の陽イオン（但し、水素イオンを除く）で処理した白土を茶抽出液に接触させてカフェインを低減することについては、周知ないし慣用技術であるともいえない。
　以上から、本件発明５は、甲１発明に基づき当業者が容易に想到し得たとすることはできない。
（３）まとめ
　以上のとおり、取消理由通知に記載した取消理由によっては、本件請求項５に係る特許を取り消すことはできない。
第５　取消理由通知において採用しなかった特許異議申立理由について
１　甲号証の記載
（１）甲第２号証（特表２００９−５２３７４８号公報。以下、「甲２」という。）には、次の事項が記載されている。
・「【技術分野】
【０００１】
　本発明は、α７ニコチン性アセチルコリン受容体（α７ｎＡＣｈＲ）アゴニスト活性を有する化合物、それらの調製方法、それらを含有する医薬組成物ならびに神経系および精神疾患の治療用のそれらの使用に関する。」
・「【０１２４】
　ｂ）１−（４−ブロモ−フェニル）−３−（４−アミノアルキル−ブチル）−尿素
　１−（４−ブロモ−フェニル）−３−（４，４−ジエトキシ−ブチル）−尿素（０．７２ｇ、２ｍｍｏｌ、１当量）を、室温で乾燥ＤＣＭ（１０ｍＬ）に溶解し、モンモリロナイトＫ−５（０．１４５ｇ）を添加した。この反応物を、室温で２時間撹拌し、ＬＣ−ＭＳがアルデヒドへの変換の完了を示した。」
（２）甲第３号証（特開２０１３−１３８３５号公報。以下、「甲３」という。）には、次の事項が記載されている。
・「【技術分野】
【０００１】
　本発明は、金属カチオンで置換した白土を含む有害物質処理剤、該処理剤の製造方法及び該処理剤を使用した有害物質処理方法に関する。」
・「【００１６】
（金属カチオンで置換した白土の製造方法）
　酸性白土は、SiO4四面体層−AlO6八面体層−SiO4四面体層から成る三層構造を基本構造とし、このような三層構造が数枚積層した微小な単結晶の集合体である。また、このような三層構造の積層層間に、Ｃａ、Ｋ、Ｎａ等のカチオンとそれに配位している水分子が存在している。
　本発明の金属カチオン置換白土の製造方法は、上記の白土の細孔内のカチオンを目的の金属カチオン、アルカリ金属カチオン及び／又はアルカリ土類金属カチオンに置換することができれば特に限定されない。
　例えば、粉末状にした白土を、金属カチオン、アルカリ金属カチオン及び／又はアルカリ土類金属カチオンを含んだ水溶液中に入れ、好ましくは攪拌することにより細孔内のイオンと水溶液中の金属カチオンとのイオン交換を促進させ、その後該白土を水洗、乾燥することにより金属カチオン置換白土を製造することができる。」
（３）甲第４号証（特開平１０−１６５０９６号公報。以下、「甲４」という。）には、次の事項が記載されている。
・「【０００１】
【発明の属する技術分野】本発明は、長期間保存しても混濁や沈澱を生じることがなく、香味に優れており、特に透明容器詰めに好適な茶の製造方法に関する。
【０００２】
【従来の技術】茶飲料、特に緑茶飲料は製造後の長期保存において濁りや沈澱を生じることがあり、このことは特に透明容器詰め飲料とする場合に問題であった。この現象は茶葉に含まれるポリフェノール、カフェイン、タンパク質、ペクチン、多糖類、カルシウムイオン等の様々な成分が関与していると言われており、特に茶葉に含まれる金属イオンは、同じく茶葉に含まれるタンパク質、ペクチン、ポリフェノール等と結合して沈澱物を形成するために問題視されてきた。すなわち、茶葉に含まれる金属イオンを除去することは茶飲料における沈澱物生成阻止の重要な鍵であった。」
・「【０００６】
【課題を解決するための手段】上記課題解決のため、本発明者らが茶抽出液の陽イオン交換処理について鋭意研究を重ねた結果、用いる陽イオン交換樹脂に対して一定の前処理しておくことにより茶本来の香味を維持できること、陽イオン交換処理の温度条件を一定範囲に制御すれば一層好適に維持することができること、陽イオン交換処理前に茶抽出液のｐＨを一定範囲に調整すれば長期保存しても全く混濁や沈澱を生じない茶を製造できることができること、更に陽イオン交換処理した茶抽出液の電導率を一定範囲に調整すれば茶本来の香味を一層確実に維持できることを見出し、これに基づいて本発明をなしたものである。すなわち、本発明は、茶葉の温水又は熱水抽出液を、予めカリウムイオンを結合させた陽イオン交換樹脂により陽イオン交換処理する工程を含む茶の製造方法である。なお、本発明における茶とは、茶飲料はもちろん、茶飲料を濃縮した茶エキス、或いは茶飲料を濃縮し乾燥させた茶エキスを包含する意である。」
・「【００１４】本発明により製造された茶飲料は、長期間保存しても混濁や沈澱が発生せず、しかも茶本来の好ましい香味を維持するから、ガラス瓶やプラスチックボトルなどの透明容器用の飲料として特に好適である。また、使用した陽イオン交換樹脂は有機溶剤を使わずに容易に再生ができるから、経済的にも有利である。さらにまた、本発明によれば、茶飲料ばかりか、これを濃縮し或いは濃縮し更に乾燥させることにより茶本来の風味を維持した濃縮液状又は粉末状の茶エキスを製造することもできる。」
２　当審の判断
（１）本件発明１
　ア　対比
　上記第４の３（１）アで述べたことと同様に、本件発明１と甲１発明とを対比すると、両者の一致点及び相違点は次のとおりである。
（一致点）
　茶抽出液に、白土を接触させる工程を含む、茶飲料の製造方法。
（相違点）
　茶抽出液に接触させる白土について、
　本件発明１においては、下記条件ＡおよびＢ：
Ａ　白土１ｇ（乾燥重量）当たりの交換性カルシウムイオン含量が３ｍｇ以下である
Ｂ　白土を２重量％の濃度で純水に懸濁したときのｐＨが４．０〜９．０である
を満たすものであるのに対し、甲１発明は酸性白土又は活性白土である点。
　イ　判断
　甲１は、単に酸性白土又は活性白土により水溶液から選択的にカフェインを除去するものであって、酸性白土又は活性白土の白土１ｇ（乾燥重量）当たりの交換性カルシウムイオン含量及び白土を２重量％の濃度で純水に懸濁したときのｐＨをそれぞれ特定の範囲とすることにより、茶飲料等の濁度上昇及び香味低減をそれぞれ抑制できることについての記載ないし示唆はない。
　特許異議申立人は、甲２に記載された白土の一種であるモンモリロナイトＫ−５の分析を行ったところ交換性カルシウムイオン含量及びｐＨが本件発明１の範囲であり、条件Ａ及びＢを満足する物質は公知である旨の主張をしているが、当該分析に係る実験成績証明書等の提出はないし、仮に分析値が主張するとおりであったとしても、甲１発明の酸性白土又は活性白土が同様の値であるとまではいえない。さらに、甲２は、「α７ニコチン性アセチルコリン受容体（α７ｎＡＣｈＲ）アゴニスト活性を有する化合物、それらの調製方法、それらを含有する医薬組成物ならびに神経系および精神疾患の治療用のそれらの使用に関する」（【０００１】）という技術分野に属するものであって、甲１発明に甲２に記載された事項を適用する動機付けがないことは明らかである。
　また、特許異議申立人は、甲３には金属カチオン白土を製造できる旨の記載があることについて主張しているが、甲３には、交換性カルシウムイオンに着目して処理を行い含量を３ｍｇ以下とすることや、そのような処理を行った白土を茶飲料に接触させてカフェインを低減させることの記載ないし示唆はない。
　なお、特許異議申立人は、本件発明６及び７に係る主張として、甲４の記載により、本件出願時点において、カルシウムイオンによる濁度上昇抑制及び香味低減抑制が課題として認識されていたことは明らかである旨の主張をしているが、甲４に開示される技術的事項は、茶葉に含まれる金属イオンが同じく茶葉に含まれるタンパク質、ペクチン、ポリフェノール等と結合して沈澱物を形成するため、陽イオン交換樹脂により陽イオン交換処理をするという茶の製造方法についてであるから、甲４を参照しても、本件発明１は想到し得ない。
　したがって、本件発明１は、甲１発明並びに甲２ないし甲４に記載された事項に基いて、当業者が容易に発明をすることができたものとはいえない。
（２）本件発明２ないし４
　本件発明２ないし４は本件発明１を引用し、本件発明１の発明特定事項の全てを含むものであるから、上記（１）で述べたことと同様に本件発明２ないし４は、甲１発明並びに甲２ないし甲４に記載された事項に基いて、当業者が容易に発明をすることができたものとはいえない。
（３）本件発明５
　甲２ないし甲４には、白土に含まれる交換性イオンの中で交換性カルシウムイオンに着目して、同イオン以外の陽イオン（但し、水素イオンを除く）で処理することについての記載ないし示唆はない。
　したがって、本件発明５は、甲１発明並びに甲２ないし甲４に記載された事項に基いて、当業者が容易に発明をすることができたものとはいえない。
（４）本件発明６
　本件発明６と甲１発明と対比すると、両者は、少なくとも上記（１）で述べた相違点で相違する。
　したがって、上記（１）で述べたことと同様に、本件発明６は、甲１発明並びに甲２ないし甲４に記載された事項に基いて、当業者が容易に発明をすることができたものとはいえない。
（５）本件発明７
　本件発明７と甲１発明と対比すると、両者は、少なくとも上記（１）で述べた相違点で相違する。
　したがって、上記（１）で述べたことと同様に、本件発明７は、甲１発明並びに甲２ないし甲４に記載された事項に基いて、当業者が容易に発明をすることができたものとはいえない。
３　まとめ
　以上から、特許異議申立人の主張する特許異議申立て理由によっては、請求項１ないし７に係る特許を取り消すことはできない。
第６　むすび
　以上のとおりであるから、取消理由通知に記載した取消理由及び特許異議申立書に記載した特許異議申立理由によっては、本件請求項１ないし７に係る特許を取り消すことはできない。
　また、他に本件請求項１ないし７に係る特許を取り消すべき理由を発見しない。
　よって、結論のとおり決定する。
【異議決定日】
平成３１年４月２日（２０１９．４．２）
【訂正の要旨】
審決（決定）の【理由】欄参照。
（５７）【特許請求の範囲】
　【請求項１】
　茶抽出液に、下記条件ＡおよびＢ：
　Ａ　白土１ｇ（乾燥重量）当たりの交換性カルシウムイオン含量が３ｍｇ以下である
　Ｂ　白土を２重量％の濃度で純水に懸濁したときのｐＨが４．０〜９．０であるを満たす白土を接触させる工程を含む、茶飲料の製造方法。
　【請求項２】
　前記白土が、交換性カルシウムイオン含量低減処理白土である、請求項１に記載の製造方法。
　【請求項３】
　交換性カルシウムイオン含量低減処理白土が、白土に含まれる交換性カルシウムイオンをカルシウムイオン以外の陽イオンで処理してなる白土である、請求項２に記載の製造方法。
　【請求項４】
　茶抽出液に含まれるカフェインが６０％以上除去された、請求項１〜３のいずれか一項に記載の製造方法。
　【請求項５】
　茶抽出液に、白土に含まれる交換性カルシウムイオンをカルシウムイオン以外の陽イオン
（但し、水素イオンを除く）
　【請求項６】
茶抽出液に、下記条件ＡおよびＢ：
　Ａ　白土１ｇ（乾燥重量）当たりの交換性カルシウムイオン含量が３ｍｇ以下である
　Ｂ　白土を２重量％の濃度で純水に懸濁したときのｐＨが４．０〜９．０であるを満たす白土を接触させる工程を含む、茶飲料の濁度上昇抑制方法。
　【請求項７】
茶抽出液に、下記条件ＡおよびＢ：
　Ａ　白土１ｇ（乾燥重量）当たりの交換性カルシウムイオン含量が３ｍｇ以下である
　Ｂ　白土を２重量％の濃度で純水に懸濁したときのｐＨが４．０〜９．０であるを満たす白土を接触させる工程を含む、茶飲料の香味低減抑制方法。